(57)【要約】【課題】上記リンクポイントに数字やアルファベットを割り当てて表示する場合でも、表示データの大きさが拡大して画面からはみ出してしまったり、新たにスクロール操作が必要となったり、スクロール量が増えることを抑制する。【解決手段】制御部１００は、モデムＭＯＤおよびネットワーク接続部１０１を通じて受信したホームページのデータを、画像／音声データ処理部１０７を制御して表示する際に、テレビジョン受像機ＴＶに表示可能な画像サイズを考慮して、リンクポイントの表示データを赤外線リモコンＲＴのキースイッチを対応づけた表示のデータに書き換えて表示を行い、そして、対応づけたキースイッチが操作されたことを赤外線受光部１０２が検出すると、リンクポイントに設定されたＵＲＬ情報を参照して対応するサーバ装置にアクセスして、ホームページのデータなどを受信するようにしたものである。【選択図】    図１
2004234387.tif 000002
【特許請求の範囲】
【請求項１】
ネットワークを通じて受信した情報を表示装置に表示させるデータ通信装置において、
複数のキースイッチを備え、このキースイッチが操作されることによりユーザからの要求を受け付ける入力手段と、
前記表示装置で表示可能な画像サイズを検出するサイズ検出手段と、
ネットワークを通じて受信した情報のうち、ネットワーク上の位置情報が対応づけられた表示情報を、前記サイズ検出手段が検出した画像サイズを考慮して、前記キースイッチを識別する識別情報を対応づけた表示情報に変換する変換処理を実施するデータ変換手段と、
ネットワークを通じて受信した情報と、前記データ変換手段の変換処理によって得られた表示情報とに基づいて、前記表示装置に情報表示を行う表示制御手段と、
前記入力手段が要求を受け付けた場合に、操作されたキースイッチの識別情報が対応づけられた表示情報に対応する位置情報に基づいて、前記ネットワークを通じて情報を受信する通信手段とを具備したことを特徴とするデータ通信装置。
【請求項２】
さらに、前記表示装置に表示中の表示情報を検出する表示情報検出手段を備え、
前記データ変換手段は、前記表示情報検出手段の検出結果に基づいて、前記表示装置に表示中の表示情報についてのみ、前記変換処理を実施することを特徴とする請求項１に記載のデータ通信装置。
【請求項３】
前記データ変換手段は、前記入力手段を通じたユーザからの要求に応じて、前記変換処理を実施することを特徴とする請求項１に記載のデータ通信装置。
【請求項４】
前記表示制御手段は、前記入力手段を通じたユーザからの要求に応じて、ネットワークを通じて受信した情報に基づく情報表示と、前記前記データ変換手段の変換処理によって得られた表示情報に基づく情報表示とを選択的に行うことを特徴とする請求項１に記載のデータ通信装置。
【発明の詳細な説明】
【０００１】
【発明の属する技術分野】
この発明は、例えばセットトップボックスや家庭用ゲーム機など、インターネットなどのネットワークを通じた通信が可能なデータ通信装置に関する。
【０００２】
【従来の技術】
周知のように、従来の例えばセットトップボックスや家庭用ゲーム機などのデータ通信装置では、インターネットなどのネットワークを通じてホームページを閲覧する機能を備えており、赤外線リモコンなどによって指示を与えて、操作するようになっている。
【０００３】
ところが、赤外線リモコンには、アイコンポインタを移動させるための方向ボタンや操作スティックが備えられているが、ホームページ上に設けられたリンクポイント上に移動させるには慣れやコツを必要として、操作性が悪かった。
【０００４】
このため従来は、ホームページのＨＴＭＬファイルの一部を書き換えて、上記リンクポイントに数字やアルファベットを割り当てて表示し、これに対応するリモコン上のキーを操作することで、リンクポイントをクリックしたものと見なして動作するようにしている。
【０００５】
しかしながら、上述したように、図３に示すようなホームページのＨＴＭＬファイルの一部を書き換えて、図６に示すようにリンクポイントに数字やアルファベットを割り当てて表示した場合、表示データの大きさが拡大して画面からはみ出し、スクロール操作が必要となったり、スクロール量が増えてしまうという問題があった。
【０００６】
【発明が解決しようとする課題】
従来のデータ通信装置では、ホームページのＨＴＭＬファイルの一部を書き換えて、上記リンクポイントに数字やアルファベットを割り当てて表示した場合、表示データの大きさが拡大して画面からはみ出し、スクロール操作が必要となったり、スクロール量が増えてしまうという問題があった。
【０００７】
この発明は上記の問題を解決すべくなされたもので、ホームページのＨＴＭＬファイルの一部を書き換えて、上記リンクポイントに数字やアルファベットを割り当てて表示する場合でも、表示データの大きさが拡大して画面からはみ出してしまったり、新たにスクロール操作が必要となったり、スクロール量が増えることを抑制したデータ通信装置を提供することを目的とする。
【０００８】
【課題を解決するための手段】
上記の目的を達成するために、この発明は、ネットワークを通じて受信した情報を表示装置に表示させるデータ通信装置において、複数のキースイッチを備え、このキースイッチが操作されることによりユーザからの要求を受け付ける入力手段と、表示装置で表示可能な画像サイズを検出するサイズ検出手段と、ネットワークを通じて受信した情報のうち、ネットワーク上の位置情報が対応づけられた表示情報を、サイズ検出手段が検出した画像サイズを考慮して、キースイッチを識別する識別情報を対応づけた表示情報に変換する変換処理を実施するデータ変換手段と、ネットワークを通じて受信した情報と、データ変換手段の変換処理によって得られた表示情報とに基づいて、表示装置に情報表示を行う表示制御手段と、入力手段が要求を受け付けた場合に、操作されたキースイッチの識別情報が対応づけられた表示情報に対応する位置情報に基づいて、ネットワークを通じて情報を受信する通信手段とを具備して構成するようにした。
【０００９】
上記構成のデータ通信装置では、ネットワークを通じて受信した情報のうち、ネットワーク上の位置情報が対応づけられた表示情報を、表示装置が表示可能な画像サイズを考慮して、キースイッチを識別する識別情報を対応づけた表示情報に変換して、これを表示装置に表示させ、入力手段が要求を受け付けた場合に、操作されたキースイッチの識別情報が対応づけられた表示情報に対応する位置情報に基づいて、ネットワークを通じて情報を受信するようにしている。
【００１０】
したがって、上記構成のデータ通信装置によれば、位置情報の表示情報にキースイッチを対応づけて表示させる際に、表示装置に表示可能な画像サイズを考慮して表示させるようにしているので、表示情報の大きさが拡大して画面からはみ出してしまったり、新たにスクロール操作が必要となったり、スクロール量が増えることを抑制することができる。
【００１１】
【発明の実施の形態】
以下、図面を参照して、この発明の一実施形態について説明する。
この発明に係わるデータ通信装置は、図１に示すように、制御部１００、ネットワーク接続部１０１、赤外線受光部１０２、ＲＯＭ１０３、ハードディスク１０４、フラッシュメモリ１０５、ＲＡＭ１０６、画像／音声データ処理部１０７、ビデオ信号生成部１０８を備える。
【００１２】
ネットワーク接続部１０１は、モデムＭＯＤを介してインターネットやイントラネットなどのネットワークＮＷを通じて、このネットワークを通じて通信可能なサーバ装置（図示しない）とデータ通信を行うものであって、後述する制御部１００によって制御される。
【００１３】
赤外線受光部１０２は、ユーザが操作する赤外線リモートコントローラ（以下、赤外線リモコンと略称する）ＲＴから発せられる赤外線信号を受信し、ユーザからの指示や要求を受け付けて、これを制御部１００に通知するものである。
なお、上記赤外線リモコンＲＴは、英数字が割り当てられた複数のキースイッチや、方向を指示するための方向キーなどを備える。
【００１４】
ＲＯＭ１０３は、制御部１００の制御プログラム、アプリケーションソフトウェアや制御データを記憶する。
ハードディスク１０４は、アプリケーションソフトウェアや種々の情報を記憶するのに用いられる。
【００１５】
フラッシュメモリ１０５は、主として、制御部１００によって収集された情報を記憶するのに用いられる。
ＲＡＭ１０６は、制御部１００がデータ処理に用いる作業領域として用いられる。
【００１６】
画像／音声データ処理部１０７は、制御部１００から与えられる表示データや画像データ（静止画像・動画像）、音声データ、音楽データをデコードして画像信号および音声信号を生成し、上記画像信号をビデオ信号生成部１０８に出力するとともに、上記音声信号をスピーカＳＰより拡声出力する。
【００１７】
ビデオ信号生成部１０８は、画像／音声データ処理部１０７から入力される画像信号に基づいてビデオ信号を生成し、テレビジョン受像機ＴＶに出力してこれに画像を映示する。
【００１８】
制御部１００は、当該データ通信装置の各部を統括して制御するものであって、ネットワークＮＷを通じたデータ通信制御機能や、種々のデータファイルを再生制御する再生制御機能、時刻を計時するクロック機能などを備える他に、サーバ装置が提供する、ＨＴＭＬ言語で記述されたＨＰデータを書き換えて表示させる機能を備える。
【００１９】
次に、上記構成のデータ通信装置の動作について説明する。なお、以下の説明では、この発明にかかわるＨＰデータの書き換え制御および表示制御について説明する。
【００２０】
この制御は、制御部１００により、図２に示すフローチャートにしたがってなされる。またこの制御に先立って、ＨＰデータ内に含まれるリンク情報に、自動割付を行うか否かの設定が予めなされているものとする。
【００２１】
電源が投入され、ＨＰを閲覧するためのアプリケーションソフトウェアを起動すると、このソフトウェアのプログラムがＲＯＭ１０３からＲＡＭ１０６に読み出されて実行される。
【００２２】
まず、ステップ２ａにおいて制御部１００は、ネットワーク接続部１０１およびモデムＭＯＤを制御して、ネットワークＮＷを通じてサーバ装置と通信し、赤外線受光部１０２を通じて赤外線リモコンＲＴを操作するユーザから指定されたＵＲＬ（Ｕｎｉｆｏｒｍ  Ｒｅｓｏｕｒｃｅ  Ｌｏｃａｔｏｒ）のホームページのデータを読み込む。
【００２３】
そして、制御部１００は、読み込んだホームページのデータに基づいて、画像／音声データ処理部１０７を制御して、ビデオ信号生成部１０８を通じてテレビジョン受像機ＴＶにホームページの表示を開始する。
【００２４】
またこれとともに、制御部１００は、読み込んだホームページのデータをＲＡＭ１０６にバックアップデータとして保存する処理を開始し、ステップ２ｂに移行する。
【００２５】
ステップ２ｂにおいて制御部１００は、ＲＡＭ１０６に記録される設定情報を参照し、自動割付を行う設定がなされているか否かを判定する。
ここで、自動割付を行う設定がなされている場合には、ステップ２ｅに移行し、一方、上記設定がなされていない場合には、ステップ２ｃに移行する。
【００２６】
ステップ２ｃにおいて制御部１００は、赤外線受光部１０２にて受光した赤外線信号を監視し、赤外線リモコンＲＴを操作するユーザから与えられた要求に従って、画面のスクロールや文字入力、アイコンポインタの移動を受け付けるとともに、リンク先への移動の要求が生じたか否かを判定する。
【００２７】
ここで、リンク先への移動要求が発生した場合には、ステップ２ａに移行し、上記リンクポイントに対応づけられたＵＲＬ情報に基づいて、対応するサーバ装置にアクセスして、ホームページのデータなどの読み込みを開始する。一方、上記要求がなされない場合には、ステップ２ｄに移行する。
【００２８】
なお、ここでの移動要求は、従来と同様の操作によりなされ、アイコンポインタをリンクポイントに一致させてこれを選択するボタン操作がなされることで、リンク先への移動の要求がなされる。
【００２９】
ステップ２ｄにおいて制御部１００は、赤外線受光部１０２にて受光した赤外線信号を監視し、赤外線リモコンＲＴを操作するユーザから割付要求がなされたか否かを判定する。
ここで、割付要求を検出した場合には、ステップ２ｅに移行し、一方、上記要求を検出しない場合には、ステップ２ｃに移行する。
【００３０】
一方、ステップ２ｅにおいて制御部１００は、ステップ２ａにて開始したホームページの表示が完了したか否かを判定する。
ここで、ステップ２ａにて開始したホームページの表示が完了した場合には、ステップ２ｆに移行し、一方、完了していない場合には、ステップ２ｅにて完了を待機する。ここでは、テレビジョン受像機ＴＶの画面上に、図３に示すような表示がなされたとする。
【００３１】
なお、ここでいう完了とは、すべてのホームページのデータを読み込んだ場合だけでなく、ユーザから読み込みの中止指示があった場合、その時点で読み込んだデータの表示か完了した場合も含むものとする。
【００３２】
ステップ２ｆにおいて制御部１００は、受信したホームページのデータを解析して、リンクポイントが設定される部分を検出し、ステップ２ｇに移行する。
【００３３】
ステップ２ｇにおいて制御部１００は、ステップ２ｆにて検出したリンクポイントに対して、赤外線リモコンＲＴ上に設けられたキースイッチを対応づける処理を行って、この対応関係を示すキーアサイン情報をＲＡＭ１０６に記録する。
【００３４】
そして、制御部１００は、画像／音声データ処理部１０７に対する制御情報から、現在、テレビジョン受像機ＴＶの画面上に表示しているホームページのデータがどの領域であるかを検出する。そして、この検出した領域に対応するホームページのデータからリンクポイントを検出する。
【００３５】
そして、この検出したリンクポイントを表示するデータを、キーアサイン情報に基づいて、リンクポイントに対応づけた赤外線リモコンＲＴのキースイッチを示す情報を合わせて表示するものに書き換え、ステップ２ｈに移行する。
【００３６】
なお、このリンクポイントの表示データの書き換えでは、テレビジョン受像機ＴＶの画像表示サイズを考慮して、すべての表示データを閲覧するために、新たに横スクロールを行う必要が生じないようにし、また、もともと横スクロールを行う必要があった場合には、横スクロール量の増加が極小となるように配慮して、データの書き換えを行う。
【００３７】
テレビジョン受像機ＴＶの画像表示サイズは、画像／音声データ処理部１０７の表示能力に基づく画像サイズから判定したり、あるいは予めＲＡＭ１０６に記録された情報に基づいて判定する。
【００３８】
ステップ２ｈにおいて制御部１００は、ステップ２ｇにて書き換えたデータに基づいて、画像／音声データ処理部１０７を制御して、ビデオ信号生成部１０８を通じてテレビジョン受像機ＴＶにホームページの表示を行い、ステップ２ｉに移行する。
【００３９】
これにより、テレビジョン受像機ＴＶの画面上には、図３に示したような表示に代わって、図４に示すような、リンクポイントを示す表示に併せてキーアサインを示す表示がなされる。
【００４０】
ステップ２ｉにおいて制御部１００は、赤外線受光部１０２にて受光した赤外線信号を監視し、赤外線リモコンＲＴを操作するユーザからキーアサインがなされていない元の表示に戻す要求がなされたか否かを判定する。
ここで、元の表示の戻す要求を検出した場合には、ステップ２ｋに移行し、一方、上記要求を検出しない場合には、ステップ２ｊに移行する。
【００４１】
ステップ２ｊにおいて制御部１００は、赤外線受光部１０２にて受光した赤外線信号を監視し、赤外線リモコンＲＴを操作するユーザから与えられた要求に従って、画面のスクロールや文字入力、アイコンポインタの移動を受け付けるとともに、リンク先への移動の要求が生じたか否かを判定する。
【００４２】
ここで、リンク先への移動要求が発生した場合には、ステップ２ａに移行し、上記リンクポイントに対応づけられたＵＲＬ情報に基づいて、対応するサーバ装置にアクセスして、ホームページのデータなどの読み込みを開始する。一方、上記要求がなされない場合には、ステップ２ｆに移行する。
【００４３】
なお、ここでの移動要求は、アイコンポインタをリンクポイントに一致させてこれを選択するボタン操作がなされる場合と、リンクポイントに割り当てられた赤外線リモコンＲＴのキースイッチが操作される場合とがある。
【００４４】
赤外線リモコンＲＴのキースイッチが操作される場合には、制御部１００は、赤外線受光部１０２にて受光した赤外線信号に基づいて、画像／音声データ処理部１０７を制御し、図５に示すようなウィンドウＷを重ねて表示し、このウィンドウＷ上に、入力された英数字を順次表示する。そして、その後、赤外線リモコンＲＴに設けられた「確定」を示すキースイッチが押下されると、入力された英数字を受け付け、ウィンドウＷを消去する。
【００４５】
一方、ステップ２ｋにおいて制御部１００は、ステップ２ａにてバックアップしておいたホームページのデータに基づいて、画像／音声データ処理部１０７を制御して、ビデオ信号生成部１０８を通じてテレビジョン受像機ＴＶにホームページの表示を行い、ステップ２ｃに移行する。
これにより、テレビジョン受像機ＴＶの画面上には、図４に示したような表示に代わって、図３に示すような表示がなされる。
【００４６】
以上のように、上記構成のデータ通信装置では、リンクポイントを含むホームページを表示する際に、テレビジョン受像機ＴＶに表示可能な画像サイズを考慮して、リンクポイントの表示データを赤外線リモコンＲＴのキースイッチを対応づけた表示のデータに書き換えて表示を行い、そして、対応づけたキースイッチが操作された場合に、リンクポイントに設定されたＵＲＬ情報を参照して対応するサーバ装置にアクセスして、ホームページのデータなどを受信するようにしている。
【００４７】
したがって、上記構成のデータ通信装置によれば、リンクポイントの表示データに赤外線リモコンＲＴのキースイッチを対応づけて表示させる際に、テレビジョン受像機ＴＶに表示可能な画像サイズを考慮して表示させるようにしているので、表示データの大きさが拡大して画面からはみ出してしまったり、新たにスクロール操作が必要となったり、スクロール量が増えることを抑制することができる。
【００４８】
また上記構成のデータ通信装置では、受信したホームページのデータ全体に対して上記キースイッチの割り当てと表示データの書き換え制御を行うのではなく、ホームページのデータのうち、テレビジョン受像機ＴＶの画面上に表示している領域のデータに対してのみ、上記キースイッチの割り当てと表示データの書き換え制御を行うようにしている。
【００４９】
このため、上記構成のデータ通信装置によれば、閲覧中のホームページが長大であっても、画面外の表示されない領域に対してはキースイッチの割り当てや表示データの書き換え制御が行われないので、当該処理に費やす制御部１００の負荷が軽く、またリンクポイントが多いために、入力しづらい大きな番号が振られることを防止できる。
【００５０】
さらに、上記構成のデータ通信装置では、キースイッチの割り当てによる表示データの書き換えを行う前のホームページデータをバックアップしておき、ユーザからの要求に応じて、このバックアップしておいたデータに基づく表示を行うようにしている。
このため、上記構成のデータ通信装置によれば、ユーザの好みに応じて瞬時に本来の表示に切り替えることが可能で、利便性が高い。
【００５１】
また、上記構成のデータ通信装置では、赤外線リモコンＲＴを通じてリンクポイントの指定を受け付ける際に、入力された英数字をウィンドウＷに吹き出し表示するようにしているので、ユーザは自分が入力した英数字を認識でき、利便性が高い。
【００５２】
尚、この発明は上記実施の形態に限定されるものではない。
例えば、上記実施の形態では、リンクポイントの表示データに赤外線リモコンＲＴのキースイッチを割り当てるものとし、２つの数字の組み合わせで指定する場合を例に示したが、リンクポイントの数によっては１桁や３桁の数字を割り当てて、リンクポイントの選択を受け付けるようにしてもよい。
【００５３】
また、ステップ２ｆにて、表示中のデータのうち、リンクポイントの数が多い領域を検出し、この領域に対してはステップ２ｇの処理において、できるだけ１桁の英数字を割り当てるようにしてもよい。
【００５４】
このような割り当てを行うことにより、上記実施の形態では、図６のような割り当てが行われるのに対して、図７に示すような割り当てが行われることになり、リンクポイントの数が多いために表示密度が高くなることを防止することができる。
【００５５】
また上記実施の形態では、セットトップボックスや家庭用ゲーム機などを想定した説明を行ったが、パーソナルコンピュータにおいても適用することは可能であり、同様の効果を得られる。
【００５６】
さらに上記実施の形態では、ユーザからの要求を受け付ける手段として、赤外線リモコンＲＴと赤外線受光部１０２とを用いるものとしたが、これに代わって例えば、当該データ通信装置に有線接続されたキーボードやコントローラを適用することも可能である。
その他、この発明の要旨を逸脱しない範囲で種々の変形を施しても同様に実施可能であることはいうまでもない。
【００５７】
【発明の効果】
以上述べたように、この発明では、ネットワークを通じて受信した情報のうち、ネットワーク上の位置情報が対応づけられた表示情報を、表示装置が表示可能な画像サイズを考慮して、キースイッチを識別する識別情報を対応づけた表示情報に変換して、これを表示装置に表示させ、入力手段が要求を受け付けた場合に、操作されたキースイッチの識別情報が対応づけられた表示情報に対応する位置情報に基づいて、ネットワークを通じて情報を受信するようにしている。
【００５８】
したがって、この発明によれば、位置情報の表示情報にキースイッチを対応づけて表示させる際に、表示装置に表示可能な画像サイズを考慮して表示させるようにしているので、表示情報の大きさが拡大して画面からはみ出してしまったり、新たにスクロール操作が必要となったり、スクロール量が増えることを抑制することが可能なデータ通信装置を提供できる。
【図面の簡単な説明】
【図１】この発明に係わるデータ通信装置の一実施形態の構成を示す回路ブロック図。
【図２】図１に示したデータ通信装置の動作を説明するためのフローチャート。
【図３】図１に示したデータ通信装置がネットワークより受信したホームページデータに基づいて表示を行った場合に表示例。
【図４】図１に示したデータ通信装置がネットワークより受信したホームページデータに当該発明に関わる処理を加えたデータに基づいて表示を行った場合に表示例。
【図５】ユーザが赤外線リモコンを通じて入力した英数字をガイド表示した一例を示す図。
【図６】図１に示したデータ通信装置がネットワークより受信したホームページデータに従来の処理を加えたデータに基づいて表示を行った場合に表示例。
【図７】図１に示したデータ通信装置がネットワークより受信したホームページデータに当該発明に関わる処理を加えたデータに基づいて表示を行った場合に表示例。
【符号の説明】
１００…制御部、１０１…ネットワーク接続部、１０２…赤外線受光部、１０３…ＲＯＭ、１０４…ハードディスク、１０５…フラッシュメモリ、１０６…ＲＡＭ、１０７…画像／音声データ処理部、１０８…ビデオ信号生成部、赤外線リモートコントローラ、ＭＯＤ…モデム、ＮＷ…ネットワーク、ＴＶ…テレビジョン受像機、ＳＰ…スピーカ。
【図１】
2004234387.tif 000003
【図２】
2004234387.tif 000004
【図３】
2004234387.tif 000005
【図４】
2004234387.tif 000006
【図５】
2004234387.tif 000007
【図６】
2004234387.tif 000008
【図７】
2004234387.tif 000009